(57)【要約】【課題】  床の下地を構成するデッキプレート上の所定位置に、ドレイン本体を所定姿勢で簡単に仮固定し得る仮固定装置を提供する。【解決手段】  デッキプレート５の上面に固定される支持基板７上に基準スペーサ１１，１１の下端を座定させ、該基準スペーサ１１，１１の上端でドレイン受皿２の水平縁部３ａを水平に支承して所定高さ位置に保持するとともに、連結杆１４，１４によってドレイン受皿２の水平縁部３ａの下面と支持基板７とを連結し、該連結杆１４，１４の引張作用を介して支持基板７側へ引張されるドレイン受皿２を基準スペーサ１１，１１上に固定するようにした。【選択図】    図２
2006328794.tif 000002
【特許請求の範囲】
【請求項１】
水平縁部と垂直縁部とにより断面略Ｌ形に形成されたドレイン受皿と、該ドレイン受皿の垂直縁部から後方に延成された排水管部とを備えてなり、水平方向のデッキプレートと、垂直方向の壁面とが交差するコーナー部分に配設されるドレイン本体を仮固定するものであって、
デッキプレートの上面に固定される支持基板と、
下端が前記支持基板に座定されて、その上端でドレイン受皿の水平縁部を水平に支承して所定高さ位置に保持する基準スペーサと、
ドレイン受皿の水平縁部の下面に上部が連結され、下部を支持基板に連結させた上下方向の連結杆と
を備えたことを特徴とするドレイン本体の仮固定装置。
【請求項２】
基準スペーサが筒状に形成され、該基準スペーサ内に連結杆が配設されて、該連結杆の下部を支持基板に挿通して、その挿通端側に緊締ナットが螺合されてなり、該緊締ナットによる連結杆の引張作用を介して支持基板側へ引張されるドレイン受皿を基準スペーサ上に固定するようにしたことを特徴とする請求項１に記載したドレイン本体の仮固定装置。
【請求項３】
支持基板に、ドレイン本体の排水管部に下方から当接して該排水管部を支承する進退調整可能な支承杆が設けられていることを特徴とする請求項１又は請求項２に記載したドレイン本体の仮固定装置。
【請求項４】
水平縁部と垂直縁部とにより断面略Ｌ形に形成されたドレイン受皿と、該ドレイン受皿の垂直縁部から後方に延成された排水管部とを備えてなり、水平方向のデッキプレートと、垂直方向の壁面とが交差するコーナー部分に配設されるドレイン本体を仮固定するものであって、
デッキプレートの上面に固定される支持基板を下端に備え、上端でドレイン受皿の水平縁部を水平に支承して所定高さ位置に保持する基準スペーサと、
ドレイン受皿の水平縁部の下面に上部が連結され、下部を基準スペーサに連結させた上下方向の連結杆と
を備えたことを特徴とするドレイン本体の仮固定装置。
【請求項５】
筒状に形成された基準スペーサの内部に上下方向の螺子孔が設けられ、該螺子孔に連結杆の下部が螺合されてなり、該螺子孔との螺合により生じる連結杆の螺進作用を介して基準スペーサ側へ引張されるドレイン受皿を基準スペーサ上に固定するようにしたことを特徴とする請求項４に記載したドレイン本体の仮固定装置。
【請求項６】
支持基板が、下部に配設された取付板を介してデッキプレートの上面に固定され、かつ該取付板に、ドレイン本体の排水管部に下方から当接して該排水管部を支承する進退調整可能な支承杆が設けられていることを特徴とする請求項４又は請求項５に記載したドレイン本体の仮固定装置。
【請求項７】
水平縁部と垂直縁部とにより断面略Ｌ形に形成されたドレイン受皿と、該ドレイン受皿の垂直縁部から後方に延成された排水管部とを備えてなり、水平方向のデッキプレートと、垂直方向の壁面とが交差するコーナー部分に配設されるドレイン本体を仮固定するものであって、
ドレイン受皿の水平縁部を水平に支承して所定高さ位置に保持する天板部と、該天板部に連成された左右側板部とを備え、デッキプレートの上面に固定される支持基板と、
ドレイン受皿の水平縁部を支持基板の天板部に固定する固定手段と
を備えたことを特徴とするドレイン本体の仮固定装置。
【請求項８】
固定手段が、ドレイン受皿の水平縁部の下面に形成された螺子孔と、天板部に下方から挿通されて、前記螺子孔に螺着される固定螺子とで構成されていることを請求項７に記載したドレイン本体の仮固定装置。
【発明の詳細な説明】
【技術分野】
【０００１】
本発明は、打込型コーナードレインのドレイン本体を、コンクリートの打設前にデッキプレートに仮固定するための仮固定装置に関する。
【背景技術】
【０００２】
一般に、打込型コーナードレインは、断面略Ｌ形のドレイン受皿と、該ドレイン受皿から後方に延成された排水管部とを備えたドレイン本体を、仮固定装置によって壁面側のコンクリート型枠に仮固定した状態で、コンクリートを打設することにより、床面と壁面とが交差する建物のコーナー部分に設置される（例えば、特許文献１参照）。
【０００３】
ところで、建物の建設工法にあって、上記のようにコンクリートの打設によって床面と壁面とを一体形成する工法に代えて、壁面をコンクリートで構成しない壁面乾式工法が知られている。これは、デッキプレートを下地としてコンクリートを打設することにより、床面をコンクリートで構成する一方、壁面はＡＬＣ（軽量気泡コンクリート）等のパネルによって構成する工法である。
【０００４】
かかる壁面乾式工法においては、壁面側にコンクリート型枠が配設されないため、従来の仮固定装置を用いて壁面側のコンクリート型枠にドレイン本体を仮固定することができない。そこで従来から、図１８に示すように、デッキプレートｃに下端部を溶接して鉄筋ｄを立設し、該鉄筋ｄに対してドレイン本体ａのアンカーｂを溶接することによって、該ドレイン本体ａを仮固定する便宜的な仮固定手段が採用されている。
【特許文献１】特開２００２−２５６６６２号公報（従来の技術、図６）
【発明の開示】
【発明が解決しようとする課題】
【０００５】
上記のような便宜的な仮固定手段にあっては、アンカーｂを鉄筋ｄに溶接するに際して、ドレイン本体ａを目測で位置決めして手で保持しながら溶接作業を行っているため、正確な上下方向のレベル出しや前後左右の位置決めが困難であるとともに、ドレイン本体ａが前下がりまたは前上がりとなり易く、さらに、左右方向にも傾斜し易いという問題点があった。そして、このようにドレイン本体ａが所定位置からずれたり、傾斜が生じたりしている場合には、溶接後に鉄筋ｄを叩いて曲げるなどしてドレイン本体ａの姿勢修正をしなければならず、それでも修正できないときは再度溶接をし直すといった面倒な作業が必要であった。
【０００６】
本発明は、かかる従来の問題点を解消するためになされたものであって、床の下地を構成するデッキプレート上の所定位置に、ドレイン本体を所定姿勢で簡単に仮固定し得る仮固定装置を提供することを目的とするものである。
【課題を解決するための手段】
【０００７】
本発明は、水平縁部と垂直縁部とにより断面略Ｌ形に形成されたドレイン受皿と、該ドレイン受皿の垂直縁部から後方に延成された排水管部とを備えてなり、水平方向のデッキプレートと、垂直方向の壁面とが交差するコーナー部分に配設されるドレイン本体を仮固定するものであって、デッキプレートの上面に固定される支持基板と、下端が前記支持基板に座定されて、その上端でドレイン受皿の水平縁部を水平に支承して所定高さ位置に保持する基準スペーサと、ドレイン受皿の水平縁部の下面に上部が連結され、下部を支持基板に連結させた上下方向の連結杆とを備えたことを特徴とするドレイン本体の仮固定装置である。
【０００８】
上記構成にあって、デッキプレートの上面に固定される支持基板の固定手段には、螺子止め或いは溶接による接合が適用され得る。また、基準スペーサの下端の座定手段としては、支持基板に形成した凹部若しくは突部に基準スペーサの下端を嵌合させて係止する構成が適用され得る。また、連結杆には外周に雄螺子が形成された螺子杆が好適に用いられ、その上部をドレイン受皿の水平縁部の下面に形成した螺子孔に螺着することによって連結し、下部を支持基板に形成した透孔に挿通して、その挿通端側にナットを螺合することによって連結する構成が適用され得る。
【０００９】
また、前記基準スペーサが筒状に形成され、該基準スペーサ内に連結杆が配設されて、該連結杆の下部を支持基板に挿通して、その挿通端側に緊締ナットが螺合されてなり、該緊締ナットによる連結杆の引張作用を介して支持基板側へ引張されるドレイン受皿を基準スペーサ上に固定するようにした構成が提案される。
【００１０】
さらに、前記支持基板に、ドレイン本体の排水管部に下方から当接して該排水管部を支承する進退調整可能な支承杆を設ける構成が提案される。ここで、支承杆には外周に雄螺子が形成された螺子杆が好適に用いられ、支持基板に設けられた上下方向の螺子孔に螺合して、その螺進作用を介して支承杆を進退調整可能とする構成が適用され得る。
【００１１】
また、本発明は、水平縁部と垂直縁部とにより断面略Ｌ形に形成されたドレイン受皿と、該ドレイン受皿の垂直縁部から後方に延成された排水管部とを備えてなり、水平方向のデッキプレートと、垂直方向の壁面とが交差するコーナー部分に配設されるドレイン本体を仮固定するものであって、デッキプレートの上面に固定される支持基板を下端に備え、上端でドレイン受皿の水平縁部を水平に支承して所定高さ位置に保持する基準スペーサと、ドレイン受皿の水平縁部の下面に上部が連結され、下部を基準スペーサに連結させた上下方向の連結杆とを備えたことを特徴とするドレイン本体の仮固定装置である。
【００１２】
上記構成にあって、連結杆には外周に雄螺子が形成された螺子杆が好適に用いられ、その上部をドレイン受皿の水平縁部の下面に形成した螺子孔に螺着することによって連結し、下部を基準スペーサに設けられた上下方向の螺子孔に螺合して連結する構成が適用され得る。  
【００１３】
また、筒状に形成された基準スペーサの内部に上下方向の螺子孔が設けられ、該螺子孔に連結杆の下部が螺合されてなり、該螺子孔との螺合により生じる連結杆の螺進作用を介して基準スペーサ側へ引張されるドレイン受皿を基準スペーサ上に固定するようにした構成が提案される。
【００１４】
さらに、前記支持基板が、下部に配設された取付板を介してデッキプレートの上面に固定され、かつ該取付板に、ドレイン本体の排水管部に下方から当接して該排水管部を支承する進退調整可能な支承杆を設ける構成が提案される。ここで、支承杆には外周に雄螺子が形成された螺子杆が好適に用いられ、取付板に設けられた上下方向の螺子孔に螺合して、その螺進作用を介して支承杆を進退調整可能とする構成が適用され得る。
【００１５】
また、本発明は、水平縁部と垂直縁部とにより断面略Ｌ形に形成されたドレイン受皿と、該ドレイン受皿の垂直縁部から後方に延成された排水管部とを備えてなり、水平方向のデッキプレートと、垂直方向の壁面とが交差するコーナー部分に配設されるドレイン本体を仮固定するものであって、ドレイン受皿の水平縁部を水平に支承して所定高さ位置に保持する天板部と、該天板部に連成された左右側板部とを備え、デッキプレートの上面に固定される支持基板と、ドレイン受皿の水平縁部を支持基板の天板部に固定する固定手段とを備えたことを特徴とするドレイン本体の仮固定装置である。
【００１６】
前記固定手段としては、ドレイン受皿の水平縁部の下面に形成された螺子孔と、天板部に下方から挿通されて、前記螺子孔に螺着される固定螺子とで構成したものが提案される。
【発明の効果】
【００１７】
本発明は、上述したように、デッキプレートの上面に固定される支持基板と、下端が前記支持基板に座定されて、その上端でドレイン受皿の水平縁部を水平に支承して所定高さ位置に保持する基準スペーサと、ドレイン受皿の水平縁部の下面に上部が連結され、下部を支持基板に連結させた上下方向の連結杆とを備えたドレイン本体の仮固定装置であるから、基準スペーサの下端を支持基板に座定し、その上端でドレイン受皿の水平縁部を支承させるとともに、上部をドレイン受皿の水平縁部の下面に連結した連結杆の下部を支持基板に連結させると、支持基板上に基準スペーサを介してドレイン受皿が一体に組み付けられる。そして、この状態で、支持基板をデッキプレートの上面の所定位置にネジ止めまたは溶接によって固定することにより、ドレイン本体をデッキプレート上の所定位置に簡単に仮固定することができる。ここで、ドレイン受皿の水平縁部は基準スペーサの上端で水平に支承され、かつ所定高さ位置に保持されていることにより、ドレイン本体の正確なレベル出しが簡単にできるとともに、ドレイン本体が前後方向及び左右方向に傾斜することがなく、水平な所定姿勢での仮固定が簡単にできる。また、基準スペーサは、床面を構成するコンクリート厚に応じた所定高さ位置にドレイン本体を保持するものであるため、コンクリート厚に応じた所定長さの基準スペーサ及び連結杆を選択的に用いることによって、異なるコンクリート厚の施工に容易に対応することができる。
【００１８】
また、前記基準スペーサが筒状に形成され、該基準スペーサ内に連結杆が配設されて、該連結杆の下部を支持基板に挿通して、その挿通端側に緊締ナットが螺合されてなり、該緊締ナットによる連結杆の引張作用を介して支持基板側へ引張されるドレイン受皿を基準スペーサ上に固定するようにした構成にあっては、連結杆の挿通端側に螺合された緊締ナットの緊締方向への螺回操作によって、連結杆の上部に連結されたドレイン受皿を支持基板側へ引張することができるとともに、連結杆が筒状の基準スペーサ内に配設されていることによって、ドレイン受皿の水平縁部の下面が基準スペーサの上端周縁に均等に圧接されることとなり、これによってドレイン受皿を基準スペーサ上に安定して固定することができる。
【００１９】
さらに、前記支持基板に、ドレイン本体の排水管部に下方から当接して該排水管部を支承する進退調整可能な支承杆を設ける構成にあっては、支承杆の進退調整を介して排水管部を下方から支承することにより、ドレイン受皿の水平縁部の水平状態を保持することができる。ここで、上記のように、ドレイン本体を仮固定すると、通常、ドレイン受皿の水平縁部は基準スペーサの上端で水平に支承されるのであるが、ドレイン本体の排水管部はドレイン受皿の垂直縁部から後方に延成されているため、ドレイン本体は後部が重く、この偏荷重によってドレイン受皿の水平縁部が後方に傾斜し、前上がりとなり易い。従って、ドレイン受皿の水平縁部に後方傾斜が生じるような場合に、前記支承杆によって排水管部を支承させることにより、その水平状態を確実に保持することができる。
【００２０】
また、本発明は、デッキプレートの上面に固定される支持基板を下端に備え、上端でドレイン受皿の水平縁部を水平に支承して所定高さ位置に保持する基準スペーサと、ドレイン受皿の水平縁部の下面に上部が連結され、下部を基準スペーサに連結させた上下方向の連結杆とを備えたドレイン本体の仮固定装置であるから、基準スペーサの上端でドレイン受皿の水平縁部を支承させるとともに、上部をドレイン受皿の水平縁部の下面に連結した連結杆の下部を基準スペーサに連結させると、基準スペーサ上にドレイン受皿が一体に組み付けられる。そして、この状態で、基準スペーサの下端の支持基板をデッキプレートの上面の所定位置にネジ止めまたは溶接によって固定することにより、ドレイン本体をデッキプレート上の所定位置に簡単に仮固定することができる。ここで、ドレイン受皿の水平縁部は基準スペーサの上端で水平に支承され、かつ所定高さ位置に保持されていることにより、ドレイン本体の正確なレベル出しが簡単にできるとともに、ドレイン本体が前後方向及び左右方向に傾斜することがなく、水平な所定姿勢での仮固定が簡単にできる。また、この発明にあっては、連結杆の下部を基準スペーサの上部に連結させるようにすれば、コンクリート厚に応じた所定長さの基準スペーサのみを選択的に用いることによって、異なるコンクリート厚の施工に容易に対応し得る利点がある。
。
【００２１】
また、筒状に形成された基準スペーサの内部に上下方向の螺子孔が設けられ、該螺子孔に連結杆の下部が螺合されてなり、該螺子孔との螺合により生じる連結杆の螺進作用を介して基準スペーサ側へ引張されるドレイン受皿を基準スペーサ上に固定するようにした構成にあっては、基準スペーサを回転させて、その内部に設けられた上下方向の螺子孔に連結杆の下部を螺合させることによって、連結杆の上部に連結されたドレイン受皿を該連結杆の螺進作用を介して基準スペーサ側へ引張することができるとともに、螺子孔が基準スペーサの内部に設けられていることによって、ドレイン受皿の水平縁部の下面が基準スペーサの上端周縁に均等に圧接されることとなり、これによってドレイン受皿を基準スペーサ上に安定して固定することができる。
【００２２】
さらに、前記支持基板が、下部に配設された取付板を介してデッキプレートの上面に固定され、かつ該取付板に、ドレイン本体の排水管部に下方から当接して該排水管部を支承する進退調整可能な支承杆を設ける構成にあっては、上述したように、ドレイン本体の偏荷重によってドレイン受皿の水平縁部に後方傾斜が生じるような場合に、支承杆の進退調整を介して排水管部を下方から支承することにより、ドレイン受皿の水平縁部の水平状態を確実に保持することができる。
【００２３】
また、本発明は、ドレイン受皿の水平縁部を水平に支承して所定高さ位置に保持する天板部と、該天板部に連成された左右側板部とを備え、デッキプレートの上面に固定される支持基板と、ドレイン受皿の水平縁部を支持基板の天板部に固定する固定手段とを備えたドレイン本体の仮固定装置であるから、支持基板の天板部にドレイン受皿の水平縁部を支承させるとともに、該水平縁部を固定手段によって天板部に固定すると、支持基板の天板部上にドレイン受皿が一体に組み付けられる。そして、この状態で、左右側板部の下端部をデッキプレートの上面の所定位置にネジ止めまたは溶接によって固定することにより、ドレイン本体をデッキプレート上の所定位置に簡単に仮固定することができる。ここで、ドレイン受皿の水平縁部は支持基板の天板部上に水平に支承され、かつ所定高さ位置に保持されていることにより、ドレイン本体の正確なレベル出しが簡単にできるとともに、ドレイン本体が前後方向及び左右方向に傾斜することがなく、水平な所定姿勢での仮固定が簡単にできる。また、この発明にあっては、部品点数が少なく、構造が簡単であるため容易に製作でき、コストを低廉にし得る利点がある。
【００２４】
また、前記固定手段を、ドレイン受皿の水平縁部の下面に形成された螺子孔と、天板部に下方から挿通されて、該螺子孔に螺着される固定螺子とで構成することにより、簡単な構成で、ドレイン受皿の水平縁部の下面を、支持基板の天板部上に確実に固定することができる。
【発明を実施するための最良の形態】
【００２５】
以下に、本発明の第一実施例を、図１〜図４に基づいて説明する。この第一実施例は請求項１〜３にかかる発明の一実施例を示すものである。
【００２６】
打込型コーナードレインは、図１に示すように、床面と壁面とが交差する建物のコーナー部分に設置されるものであって、該打込型コーナードレインのドレイン本体１は、水平縁部３ａの後縁に垂直縁部３ｂが連成された断面略Ｌ形のドレイン受皿２と、前記垂直縁部３ｂから後方に延成された排水管部４とを備えてなる。ここで、床面は水平方向のデッキプレート５を下地としてコンクリートＣを打設することにより構成されており、壁面はＡＬＣ等の外壁パネルＰとチャンネル杆Ｋに張設された石膏ボード等の内壁パネルＳとによって構成されている。そして、ドレイン本体１は、コンクリートＣの打設前に仮固定装置６Ａによって前記デッキプレート５の所定位置に仮固定される。
【００２７】
前記仮固定装置６Ａは、デッキプレート５の上面に固定される支持基板７を備えている。該支持基板７は、帯状鋼板等の金属板を曲成してなるものであって、図２に示すように、天板部８と左右側板部９，９とによって断面伏コ字形に形成され、かつ左右側板部９，９の下端に取付用鍔縁１０，１０が外方突成されており、該取付用鍔縁１０，１０によってデッキプレート５の上面に固定し得るようになっている。該支持基板７の天板部８には、左右一対で用いられる基準スペーサ１１，１１の下端を夫々座定する凹部１２，１２が形成されており、該凹部１２，１２には後述する連結杆１４，１４の下部が挿通される上下方向の挿通孔１３，１３（図３（イ）参照）が穿設されている。
【００２８】
前記基準スペーサ１１，１１は、上端でドレイン受皿２の水平縁部３ａを水平に支承して所定高さ位置に保持するものであって、その下端を前記凹部１２，１２に嵌合することによって支持基板７に座定される。この基準スペーサ１１，１１は、アルミニウム合金等の金属製角パイプからなり、床面を構成するコンクリートＣの厚みに対応する所定長さのものが用いられている。尚、コンクリート厚に応じた所定長さの基準スペーサ１１及び後述する連結杆１４を選択的に用いることによって、異なるコンクリート厚の施工に容易に対応することができるようになっている。
【００２９】
前記基準スペーサ１１，１１内には、上下方向の連結杆１４，１４が夫々配設される。各連結杆１４，１４は、外周面に雄螺子を備えた螺子杆からなり、その上部はドレイン受皿２の水平縁部３ａの下面に形成された螺子孔１５，１５に螺着することによって該水平縁部３ａに連結される。また、各連結杆１４，１４の下部は、前記凹部１２，１２の挿通孔１３，１３に挿通され、その挿通端側に緊締ナット１６，１６を螺合することにより、支持基板７に連結される。
【００３０】
また、支持基板７の後縁寄り位置には、ドレイン本体１の排水管部４に下方から当接して該排水管部４を支承する支承杆１７が配設されている。該支承杆１７は外周面に雄螺子を備えた螺子杆からなり、その下部が支持基板７に溶接されたナットからなる雌螺子部１８に螺合されるとともに、該雌螺子部１８に中心を一致させて支持基板７に形成された透孔１９（図３（ロ）参照）に挿通されている。該支承杆１７は、前記雌螺子部１８との螺合により、その螺進作用を介して進退調整可能となっている。
【００３１】
かかる構成からなる仮固定装置６Ａによってドレイン本体１をデッキプレート５に仮固定するには、先ず、ドレイン受皿２の水平縁部３ａの螺子孔１５，１５に連結杆１４，１４の上部を螺着して、該水平縁部３ａの下面に各連結杆１４，１４を連結する。次に、各連結杆１４，１４に基準スペーサ１１，１１を夫々外嵌し、この状態で基準スペーサ１１，１１の下端を支持基板７の凹部１２，１２に嵌合させて座定する。また、これと同時に各連結杆１４，１４の下部を凹部１２，１２の挿通孔１３，１３に挿通させる。然る後、各連結杆１４，１４の挿通端側に緊締ナット１６，１６を螺合し、該緊締ナット１６，１６を締め付け方向へ螺回操作する。これにより、各連結杆１４，１４が支持基板７側へ引張され、該連結杆１４，１４の引張作用を介して支持基板７側へ引張されるドレイン受皿２が基準スペーサ１１，１１上に圧接して固定される。そして、このように支持基板７上に基準スペーサ１１，１１を介してドレイン受皿２を一体に組み付けた状態で、デッキプレート５の所定位置に乗載し、支持基板７の取付用鍔縁１０，１０をデッキプレート５の上面にネジ止めまたは溶接によって固定することにより、ドレイン本体１をデッキプレート５上の所定位置に仮固定することができる。
【００３２】
上記のように、ドレイン本体１を仮固定すると、通常、ドレイン受皿２の水平縁部３ａは基準スペーサ１１，１１の上端で水平に支承されるのであるが、排水管部４による偏荷重によってドレイン受皿２の水平縁部３ａに後方傾斜が生じる虞がある場合には、支承杆１７を進退調整して該支承杆１７の上端で排水管部４を支承させることにより、その水平状態を確実に保持することができる。
【００３３】
そして、上記のように、ドレイン本体１をデッキプレート５上の所定位置に仮固定した後、図４に示すように、排水管部４の下部を塞ぐ型枠Ｗが壁面側に配設され、この状態でデッキプレート５上にコンクリートＣ（図１参照）が打設される。この時、ドレイン本体１は仮固定装置６Ａによってデッキプレート５上に強固に固定されていることにより、コンクリートＣの流圧によって位置ずれしたり、傾斜したりすることがなく、また、施工後においては、硬化したコンクリートＣ内で仮固定装置６Ａがアンカー作用を生ずるものとなる。
【００３４】
かかる構成にあって、上述したように、基準スペーサ１１，１１の下端を支持基板７に座定し、その上端でドレイン受皿２の水平縁部３ａを支承させるとともに、上部をドレイン受皿２の水平縁部３ａの下面に連結した連結杆１４，１４の下部を支持基板７に連結させることによって、支持基板７上に基準スペーサ１１，１１を介してドレイン受皿２が一体に組み付けられる。そして、この状態で、支持基板７をデッキプレート５の上面の所定位置にネジ止めまたは溶接によって固定することにより、ドレイン本体１をデッキプレート５上の所定位置に簡単に仮固定することができる。ここで、ドレイン受皿２の水平縁部３ａは基準スペーサ１１，１１の上端で水平に支承され、かつ所定高さ位置に保持されていることにより、ドレイン本体１の正確なレベル出しが簡単にできるとともに、ドレイン本体１が前後方向及び左右方向に傾斜することがなく、水平な所定姿勢での仮固定が簡単にできる。
【００３５】
尚、上記第一実施例では、二本の連結杆１４，１４と基準スペーサ１１，１１とを用いた仮固定装置６Ａについて説明したが、これに代えて、図５，図６に示す第一の変形実施例のように、単一の連結杆１４と基準スペーサ１１を用いた仮固定装置６Ａとしてもよい。この場合には、連結杆１４の上端に、左右に長い帯板状のフランジ板２０をネジ止めまたは溶接等によって固着し、該フランジ板２０を螺子２１，２１によってドレイン受皿２の水平縁部３ａの螺子孔１５，１５に固定することにより、連結杆１４の上部がドレイン受皿２の水平縁部３ａの下面に取り付けられる。また、基準スペーサ１１の上端は、前記フランジ板２０の下面に当接され、該フランジ板２０を介してドレイン受皿２の水平縁部３ａを水平に支承して所定高さ位置に保持することとなる。
【００３６】
図７，図８は、第一実施例の第二の変形実施例を示し、この変形実施例では、支持基板７が平板状に形成されている。これに伴って、該支持基板７の上面側に、基準スペーサ１１，１１の下端を夫々座定する突部１２’，１２’が形成されており、該突部１２’，１２’に下端を外嵌することにより、基準スペーサ１１，１１が支持基板７に座定されるようになっている（図９（イ）参照）。また、該支持基板７の後縁寄り位置には、ナットからなる雌螺子部１８を備えた支持ブラケット２２が支持基板７の上面側に取り付けられており、該支持ブラケット２２には、前記雌螺子部１８に中心を一致させて透孔１９（図９（ロ）参照）が形成されている。そして、支承杆１７の下部が該透孔１９に挿通された状態で前記雌螺子部１８に螺合されている。その他の構成は第一実施例と同じであり、同一部分に同一符号を付して重複する説明を省略する。かかる構成にあっても第一実施例と同様の作用効果が得られる。
【００３７】
次に、本発明の第二実施例を、図１０〜図１２に基づいて説明する。この第二実施例は請求項４，５にかかる発明の一実施例を示すものである。
【００３８】
この第二実施例における仮固定装置６Ｂは、上端でドレイン受皿２の水平縁部３ａを水平に支承して所定高さ位置に保持する基準スペーサ１１，１１が左右一対で用いられており、該基準スペーサ１１，１１は、その下端にデッキプレート５の上面に固定される円板状の支持基板７，７を備えている。この基準スペーサ１１，１１は金属製丸パイプからなり、床面を構成するコンクリートＣの厚みに対応する所定長さのものが用いられている。尚、コンクリート厚に応じた所定長さの基準スペーサ１１を選択的に用いることによって、異なるコンクリート厚の施工に容易に対応することができるようになっている。
【００３９】
前記基準スペーサ１１，１１内には、その上部位置に横架された螺子基板２３，２３にナットを溶接することによって上下方向の螺子孔２４，２４（図１２（イ）参照）が設けられており、さらに該螺子孔２４，２４に中心を一致させて螺子基板２３，２３に透孔２５，２５が形成されている。
【００４０】
また、ドレイン受皿２の水平縁部３ａの下面には、上下方向の連結杆１４，１４の上部が連結されている。各連結杆１４，１４は、外周面に雄螺子を備えた比較的短尺な螺子杆からなり、その上部はドレイン受皿２の水平縁部３ａの下面に形成された螺子孔１５，１５に螺着することによって該水平縁部３ａに連結される。また、各連結杆１４，１４の下部は、前記基準スペーサ１１，１１内の透孔２５，２５に挿通して、螺子孔２４，２４に螺合することによって基準スペーサ１１，１１に連結される。
【００４１】
かかる構成からなる仮固定装置６Ｂによってドレイン本体１をデッキプレート５に仮固定するには、先ず、ドレイン受皿２の水平縁部３ａの螺子孔１５，１５に連結杆１４，１４の上部を螺着して、該水平縁部３ａの下面に各連結杆１４，１４を連結する。次に、各連結杆１４，１４の下部を基準スペーサ１１，１１に連結する。この連結操作は、図１２（ロ）に示すように、各基準スペーサ１１内の螺子孔２４に連結杆１４の下部を螺合させた状態で、各基準スペーサ１１毎に締め付け方向へ回転操作することにより行う。これにより、螺子孔２４との螺合によって生じる連結杆１４の相対的な螺進作用を介してドレイン受皿２が基準スペーサ１１側へ引張され、該ドレイン受皿２が基準スペーサ１１，１１上に圧接して固定される。そして、このように基準スペーサ１１，１１上にドレイン受皿２を一体に組み付けた状態で、デッキプレート５の所定位置に乗載し、基準スペーサ１１，１１の支持基板７，７をデッキプレート５の上面にネジ止めまたは溶接によって固定することにより、ドレイン本体１をデッキプレート５上の所定位置に仮固定することができる。
【００４２】
そして、上述したように、排水管部４の下部を塞ぐ型枠Ｗ（図４参照）が壁面側に配設され、この状態でデッキプレート５上にコンクリートＣが打設されることとなる。この時、ドレイン本体１は仮固定装置６Ｂによってデッキプレート５上に強固に固定されていることにより、コンクリートＣの流圧によって位置ずれしたり、傾斜したりすることがなく、また、施工後においては、硬化したコンクリートＣ内で仮固定装置６Ｂがアンカー作用を生ずるものとなる。
【００４３】
かかる構成にあって、上述したように、基準スペーサ１１，１１の上端でドレイン受皿２の水平縁部３ａを支承させるとともに、上部をドレイン受皿２の水平縁部３ａの下面に連結した連結杆１４，１４の下部を基準スペーサ１１，１１に連結させると、基準スペーサ１１，１１上にドレイン受皿２が一体に組み付けられる。そして、この状態で、基準スペーサ１１，１１の下端の支持基板７，７をデッキプレート５の上面の所定位置にネジ止めまたは溶接によって固定することにより、ドレイン本体１をデッキプレート５上の所定位置に簡単に仮固定することができる。ここで、ドレイン受皿２の水平縁部３ａは基準スペーサ１１，１１の上端で水平に支承され、かつ所定高さ位置に保持されていることにより、ドレイン本体１の正確なレベル出しが簡単にできるとともに、ドレイン本体１が前後方向及び左右方向に傾斜することがなく、水平な所定姿勢での仮固定が簡単にできる。
【００４４】
次に、第二実施例の変形実施例を、図１３，図１４に基づいて説明する。この変形実施例は請求項６にかかる発明の一実施例を示すものである。
【００４５】
この変形実施例は、第二実施例の構成に加えて、取付板２６が支持基板７，７の下部に配設され、該取付板２６に複数のビス２７で取り付けられた支持基板７，７が該取付板２６を介してデッキプレート５の上面に固定される。また、該取付板２６には、ドレイン本体１の排水管部４に下方から当接して該排水管部４を支承する進退調整可能な支承杆１７が設けられている。即ち、取付板２６の後縁寄り位置には、ナットからなる雌螺子部１８を備えた支持ブラケット２２が取付板２６の上面側に取り付けられており、該支持ブラケット２２には、前記雌螺子部１８に中心を一致させて透孔１９（図９（ロ）参照）が形成されている。そして、外周面に雄螺子を備えた螺子杆からなる支承杆１７の下部が該透孔１９に挿通された状態で前記雌螺子部１８に螺合されており、該支承杆１７が雌螺子部１８との螺合により、その螺進作用を介して進退調整可能となっている。
【００４６】
かかる構成にあっては、ドレイン本体１をデッキプレート５上の所定位置に仮固定した状態において、ドレイン本体１の偏荷重によってドレイン受皿２の水平縁部３ａに後方傾斜が生じるような場合に、支承杆１７を進退調整して該支承杆１７の上端で排水管部４を支承させることにより、その水平状態を確実に保持することができる。
【００４７】
次に、本発明の第三実施例を、図１５〜図１７に基づいて説明する。この第三実施例は請求項７，８にかかる発明の一実施例を示すものである。
【００４８】
この第三実施例における仮固定装置６Ｃは、デッキプレート５の上面に固定される支持基板７と、ドレイン受皿２の水平縁部３ａを支持基板７の天板部２８に固定する固定手段とを備えている。支持基板７は、帯状鋼板等の金属板を曲成してなるものであって、図１６に示すように、ドレイン受皿２の水平縁部３ａを水平に支承して所定高さ位置に保持する天板部２８と、該天板部２８に連成された左右側板部２９，２９とによって断面伏コ字形に形成され、かつ左右側板部２９，２９の下端に取付用鍔縁３０，３０が外方突成されており、該取付用鍔縁３０，３０によってデッキプレート５の上面に固定し得るようになっている。該支持基板７の天板部２８には、ドレイン受皿２の水平縁部３ａの下面に形成された螺子孔１５，１５に一致する挿通孔３１，３１（図１７参照）が形成されており、該挿通孔３１，３１に下方から挿通した固定螺子３２，３２を前記螺子孔１５，１５に螺着することにより、ドレイン受皿２の水平縁部３ａを支持基板７の天板部２８に固定するようになっている。そして、この水平縁部３ａの螺子孔１５，１５と、該螺子孔１５，１５に螺着される固定螺子３２，３２とによって、ドレイン受皿２の水平縁部３ａを支持基板７の天板部２８に固定する固定手段が構成されている。
【００４９】
かかる構成からなる仮固定装置６Ｃによってドレイン本体１をデッキプレート５に仮固定するには、先ず、支持基板７の天板部２８にドレイン受皿２の水平縁部３ａを支承させ、支持基板７の挿通孔３１，３１に下方から挿通した固定螺子３２，３２をドレイン受皿２の螺子孔１５，１５に螺着することにより、ドレイン受皿２の水平縁部３ａを支持基板７の天板部２８に固定する。そして、このように支持基板７の天板部２８上にドレイン受皿２を一体に組み付けた状態で、デッキプレート５の所定位置に乗載し、支持基板７の取付用鍔縁３０，３０をデッキプレート５の上面にネジ止めまたは溶接によって固定することにより、ドレイン本体１をデッキプレート５上の所定位置に仮固定することができる。尚、この手順に代えて、先に支持基板７の取付用鍔縁３０，３０をデッキプレート５の上面にネジ止めまたは溶接によって固定し、然る後、支持基板７の天板部２８にドレイン受皿２の水平縁部３ａを固定螺子３２，３２によって固定することも可能である。
【００５０】
そして、上述したように、排水管部４の下部を塞ぐ型枠Ｗ（図４参照）が壁面側に配設され、この状態でデッキプレート５上にコンクリートＣが打設されることとなる。この時、ドレイン本体１は仮固定装置６Ｃによってデッキプレート５上に強固に固定されていることにより、コンクリートＣの流圧によって位置ずれしたり、傾斜したりすることがなく、また、施工後においては、硬化したコンクリートＣ内で仮固定装置６Ｃがアンカー作用を生ずるものとなる。
【００５１】
かかる構成にあって、上述したように、支持基板７の天板部２８にドレイン受皿２の水平縁部３ａを支承させるとともに、該水平縁部３ａを固定手段によって天板部２８に固定すると、支持基板７の天板部２８上にドレイン受皿２が一体に組み付けられる。そして、この状態で、左右側板部２９，２９の下端の取付用鍔縁３０，３０をデッキプレート５の上面の所定位置にネジ止めまたは溶接によって固定することにより、ドレイン本体１をデッキプレート５上の所定位置に簡単に仮固定することができる。ここで、ドレイン受皿２の水平縁部３ａは支持基板７の天板部２８上に水平に支承され、かつ所定高さ位置に保持されていることにより、ドレイン本体１の正確なレベル出しが簡単にできるとともに、ドレイン本体１が前後方向及び左右方向に傾斜することがなく、水平な所定姿勢での仮固定が簡単にできる。
【００５２】
尚、上記各実施例において、ナットを溶接して雌螺子部１８及び螺子孔２４を設けるようにしているが、これに代えて、ナットを溶接する部材に対して直接螺子孔を形成することにより、ナットを除去することも可能である。
【図面の簡単な説明】
【００５３】
【図１】第一実施例にかかる仮固定装置６Ａの施工完了状態を示す縦断側面図である。
【図２】同上の縦断正面図である。
【図３】（イ）は基準スペーサ１１の下端を座定する凹部１２の部分拡大断面図、（ロ）は支承杆１７の下部の支持構造を示す部分拡大断面図である。
【図４】仮固定装置６Ａによってドレイン本体１をデッキプレート５上に仮固定した状態を示す縦断側面図である。
【図５】第一実施例の、第一の変形実施例にかかる仮固定装置６Ａの施工完了状態を示す縦断側面図である。
【図６】同上の縦断正面図である。
【図７】第一実施例の、第二の変形実施例にかかる仮固定装置６Ａの施工完了状態を示す縦断側面図である。
【図８】同上の縦断正面図である。
【図９】（イ）は第二の変形実施例における基準スペーサ１１の下端を座定する突部１２’の部分拡大断面図、（ロ）は支承杆１７の下部の支持構造を示す部分拡大断面図である。
【図１０】第二実施例にかかる仮固定装置６Ｂの施工完了状態を示す縦断側面図である。
【図１１】同上の縦断正面図である。
【図１２】（イ）は連結杆１４の連結構造を示す部分拡大断面図、（ロ）は連結杆１４の下部と基準スペーサ１１との連結操作の説明図である。
【図１３】第二実施例の変形実施例にかかる仮固定装置６Ｂの施工完了状態を示す縦断側面図である。
【図１４】同上の縦断正面図である。
【図１５】第三実施例にかかる仮固定装置６Ｃの施工完了状態を示す縦断側面図である。
【図１６】同上の縦断正面図である。
【図１７】固定螺子３２による固定部分の拡大断面図である。
【図１８】従来構成の施工完了状態を示す縦断側面図である。
【符号の説明】
【００５４】
１  ドレイン本体
２  ドレイン受皿
３ａ  水平縁部
３ｂ  垂直縁部
４  排水管部
５  デッキプレート
６Ａ，６Ｂ，６Ｃ  仮固定装置
７  支持基板
１１  基準スペーサ
１４  連結杆
１５  螺子孔（固定手段）
１６  緊締ナット
１７  支承杆
２４  螺子孔
２６  取付板
２８  天板部
２９  左右側板部
３２  固定螺子（固定手段）
【図１】
2006328794.tif 000003
【図２】
2006328794.tif 000004
【図３】
2006328794.tif 000005
【図４】
2006328794.tif 000006
【図５】
2006328794.tif 000007
【図６】
2006328794.tif 000008
【図７】
2006328794.tif 000009
【図８】
2006328794.tif 000010
【図９】
2006328794.tif 000011
【図１０】
2006328794.tif 000012
【図１１】
2006328794.tif 000013
【図１２】
2006328794.tif 000014
【図１３】
2006328794.tif 000015
【図１４】
2006328794.tif 000016
【図１５】
2006328794.tif 000017
【図１６】
2006328794.tif 000018
【図１７】
2006328794.tif 000019
【図１８】
2006328794.tif 000020